(57)【要約】【課題】受信装置が通信パラメータを取得した後、ユーザの手間を要することなく、通信パラメータを送信するための通信回線を切断する。【解決手段】パラメータ送信装置１０２は、第１の通信回線を介して通信パラメータをパラメータ受信装置１０３に対して送信し、パラメータ受信装置１０３が通信パラメータを用いて接続する第２の通信回線においてパラメータ受信装置１０３を探索する。そしてパラメータ送信装置１０２は、パラメータ受信装置１０３を発見すると、第１の通信回線を切断する。【選択図】図１
2012256958.tif 000002
【特許請求の範囲】
【請求項１】
第１の通信回線を介して通信パラメータを受信装置に対して送信する送信手段と、
前記受信装置が前記通信パラメータを用いて接続する第２の通信回線において前記受信装置を探索する探索手段と、
前記探索手段により前記受信装置が発見された場合、前記第１の通信回線を切断する制御手段とを有することを特徴とする送信装置。
【請求項２】
前記送信手段は、前記探索手段により前記受信装置が発見されなかった場合、前記通信パラメータを再送信することを特徴とする請求項１に記載の送信装置。
【請求項３】
前記探索手段は、前記受信装置の識別情報を用いて前記受信装置を探索することを特徴とする請求項１又は２に記載の送信装置。
【請求項４】
第１の通信回線を介して通信パラメータを送信装置から受信する受信手段と、
前記通信パラメータを用いて第２の通信回線に接続する接続手段と、
前記第２の通信回線において前記送信装置を探索する探索手段と、
前記探索手段により前記送信装置が発見された場合、前記第１の通信回線を切断する制御手段とを有することを特徴とする受信装置。
【請求項５】
前記受信手段にて前記通信パラメータを前記送信装置から受信するか否かを決定する決定手段を更に有することを特徴とする請求項４に記載の受信装置。
【請求項６】
前記第１の通信回線における前記送信装置の通信パターンを表示手段に表示させる表示制御手段と、
前記送信装置の通信パターンに応じて前記受信手段にて前記通信パラメータを前記送信装置から受信するか否かを入力させるための入力手段とを更に有し、
前記決定手段は、前記入力手段により入力された内容に応じて、前記受信手段にて前記通信パラメータを前記送信装置から受信するか否かを決定することを特徴とする請求項５に記載の受信装置。
【請求項７】
前記受信手段にて前記通信パラメータを全て受信したか否かを判定する判定手段を更に有し、
前記受信手段は、前記判定手段において前記通信パラメータを全て受信していないと判定された場合、前記通信パラメータを再受信することを特徴とする請求項４乃至６の何れか１項に記載の受信装置。
【請求項８】
前記受信手段は、前記探索手段により前記送信装置が発見されなかった場合、前記通信パラメータを再受信することを特徴とする請求項４乃至７の何れか１項に記載の受信装置。
【請求項９】
前記探索手段は、前記通信パラメータに含まれる前記送信装置の識別情報を用いて、前記送信装置を探索することを特徴とする請求項４乃至８の何れか１項に記載の受信装置。
【請求項１０】
第１の通信回線を介して通信パラメータを受信装置に対して送信する送信ステップと、
前記受信装置が前記通信パラメータを用いて接続する第２の通信回線において前記受信装置を探索する探索ステップと、
前記探索ステップにより前記受信装置が発見された場合、前記第１の通信回線を切断する制御ステップとを有することを特徴とする送信装置の制御方法。
【請求項１１】
第１の通信回線を介して通信パラメータを送信装置から受信する受信ステップと、
前記通信パラメータを用いて第２の通信回線に接続する接続ステップと、
前記第２の通信回線において前記送信装置を探索する探索ステップと、
前記探索ステップにより前記送信装置が発見された場合、前記第１の通信回線を切断する制御ステップとを有することを特徴とする受信装置の制御方法。
【請求項１２】
第１の通信回線を介して通信パラメータを受信装置に対して送信する送信ステップと、
前記受信装置が前記通信パラメータを用いて接続する第２の通信回線において前記受信装置を探索する探索ステップと、
前記探索ステップにより前記受信装置が発見された場合、前記第１の通信回線を切断する制御ステップとをコンピュータに実行させるためのプログラム。
【請求項１３】
第１の通信回線を介して通信パラメータを送信装置から受信する受信ステップと、
前記通信パラメータを用いて第２の通信回線に接続する接続ステップと、
前記第２の通信回線において前記送信装置を探索する探索ステップと、
前記探索ステップにより前記送信装置が発見された場合、前記第１の通信回線を切断する制御ステップとをコンピュータに実行させるためのプログラム。
【発明の詳細な説明】
【技術分野】
【０００１】
本発明は、第１の通信回線で送信した通信パラメータを用いて第２の通信回線の接続を確立する技術に関するものである。
【背景技術】
【０００２】
従来、可視光に情報を含ませる技術や、画像や映像に情報を含ませる技術が知られている。これらの技術を用いることにより、通信パラメータを簡単に設定することができる。
【０００３】
特許文献１には、通信相手にカメラのディスプレイに写った模様を見せ、ディスプレイに写っている模様からパラメータを抽出し、通信相手のカメラから取得した画像データを復号化する技術が開示されている。また特許文献２には、二次元バーコードを投影し、投影された二次元バーコードを撮影することにより、通信パラメータを取得する技術が開示されている。
【先行技術文献】
【特許文献】
【０００４】
【特許文献１】特開２００８−２６９４８６号公報
【特許文献２】特開２０１０−２８２７４号公報
【発明の概要】
【発明が解決しようとする課題】
【０００５】
しかしながら、従来の技術では、受信装置が通信パラメータを取得した後も、ディスプレイの表示や二次元バーコードの投影が継続されており、ユーザが自ら終了させる必要があった。
【０００６】
そこで、本発明の目的は、受信装置が通信パラメータを取得した後、ユーザの手間を要することなく、通信パラメータを送信するための通信回線を切断することにある。
【課題を解決するための手段】
【０００７】
本発明の送信装置は、第１の通信回線を介して通信パラメータを受信装置に対して送信する送信手段と、前記受信装置が前記通信パラメータを用いて接続する第２の通信回線において前記受信装置を探索する探索手段と、前記探索手段により前記受信装置が発見された場合、前記第１の通信回線を切断する制御手段とを有することを特徴とする。
【発明の効果】
【０００８】
本発明によれば、受信装置が通信パラメータを取得した後、ユーザの手間を要することなく、通信パラメータを送信するための通信回線を切断することが可能となる。
【図面の簡単な説明】
【０００９】
【図１】本発明の第１の実施形態に係る通信システムの構成を示す図である。
【図２】本発明の第１の実施形態におけるパラメータ送信装置のモジュール構成を示す図である。
【図３】本発明の第１の実施形態におけるパラメータ受信装置のモジュール構成を示す図である。
【図４】可視光通信を用いて無線ＬＡＮに関連するパラメータを送信する際におけるパラメータ送信装置の処理を示すフローチャートである。
【図５】可視光通信を用いて無線ＬＡＮに関連するパラメータを受信する際におけるパラメータ受信装置の処理を示すフローチャートである。
【図６】本発明の第１の実施形態に係る通信システムの処理を示すシーケンスチャートである。
【図７】本発明の第２の実施形態に係る通信システムの構成を示す図である。
【図８】本発明の第２の実施形態におけるパラメータ送信装置のモジュール構成を示す図である。
【図９】本発明の第２の実施形態におけるパラメータ受信装置のモジュール構成を示す図である。
【図１０】本発明の第２の実施形態に係る通信システムの処理を示すシーケンスチャートである。
【発明を実施するための形態】
【００１０】
以下、本発明を適用した好適な実施形態を、添付図面を参照しながら詳細に説明する。
【００１１】
先ず、本発明の第１の実施形態について説明する。図１は、本発明の第１の実施形態に係る通信システムの構成を示す図である。図１において、１０１は、アクセスポイントである。１０２は、アクセスポイント１０１の通信パラメータ（以下、単にパラメータと称す）を後述のパラメータ受信装置に送信するパラメータ送信装置である。１０３は、アクセスポイント１０１のパラメータをパラメータ送信装置１０２から受信し、アクセスポイント１０１に接続するパラメータ受信装置である。なお、アクセスポイント１０１、パラメータ送信装置１０２及びパラメータ受信装置１０３は、インターネット等の通信回線により接続され、相互にデータ通信が可能である。
【００１２】
図２は、パラメータ送信装置１０２のモジュール構成を示す図である。図２において、２００は、各モジュールを接続するバスである。２０１は、パラメータを送信するパラメータ送信部である。２０２は、無線ＬＡＮを制御する無線ＬＡＮ制御部である。２０３は、無線ＬＡＮのインタフェースを制御する無線ＬＡＮ ＩＦ部である。２０４は、パラメータ送信部２０１によって送信されたパラメータを受信したデバイスを発見するデバイス発見部である。２０５は、デバイス発見部２０４においてネットワーク上で該当するデバイスが発見された場合、パラメータ送信部２０１を終了させるパラメータ送信終了判断部である。２０６は、可視光通信を制御する可視光通信制御部である。２０７は、可視光通信のインタフェースを制御する可視光通信ＩＦ部である。２０８は、ユーザインタフェースを制御するユーザ制御部である。なお、上述した各モジュールは、パラメータ送信装置１０２内において、ＣＰＵがＲＯＭ等の記録媒体から必要なプログラムをＲＡＭにロードし、実行することにより機能するものである。
【００１３】
図３は、パラメータ受信装置１０３のモジュール構成を示す図である。図３において、３００は、各モジュールを接続するバスである。３０１は、パラメータを受信するパラメータ受信部である。３０２は、無線ＬＡＮを制御する無線ＬＡＮ制御部である。３０３は、無線ＬＡＮのインタフェースを制御する無線ＬＡＮ ＩＦ部である。３０４は、パラメータ受信部３０１で受信したパラメータを利用して、パラメータを送信したデバイスを発見するデバイス発見部である。３０５は、デバイス発見部３０４においてネットワーク上で該当するデバイスが発見された場合、パラメータ受信部３０１を終了させるパラメータ受信終了判断部である。３０６は、可視光通信を制御する可視光通信制御部である。３０７は、可視光通信のインタフェースを制御する可視光通信ＩＦ部である。３０８は、ユーザインタフェースを制御するユーザ制御部である。なお、上述した各モジュールは、パラメータ受信装置１０３内において、ＣＰＵがＲＯＭ等の記録媒体から必要なプログラムをＲＡＭにロードし、実行することにより機能するものである。なお、可視光通信を行うための通信回線は、第１の通信回線の一例であり、無線ＬＡＮは、第２の通信回線を一例である。
【００１４】
図４は、可視光通信を用いて無線ＬＡＮに関連するパラメータを送信する際におけるパラメータ送信装置１０２の処理を示すフローチャートである。なお、本フローチャートに示す処理を実行する前に、無線ＬＡＮ制御部２０２は、無線ＬＡＮ ＩＦ部２０３を用いてアクセスポイント１０１に対する接続を完了しているものとする。
【００１５】
ステップＳ４０１において、パラメータ送信部２０１は、無線ＬＡＮのパラメータ、及び、無線ＬＡＮ上でパラメータ送信装置１０２とパラメータ受信装置１０３とが相互に発見し合うためのパラメータを取得する。上記パラメータは、予め記憶されていてもよいし、ネットワーク上に接続されるサーバから取得するようにしてもよい。本実施形態では、相互に発見し合うためのパラメータとして、識別情報であるＵＵＩＤ(Universally Unique Identifier)を用いるものとする。即ち、上記相互に発見し合うためのパラメータには、パラメータ送信装置１０２によって利用されるＵＵＩＤと、パラメータ受信装置１０３によって利用されるＵＵＩＤとのそれぞれが含まれている。なお、本実施形態では、無線ＬＡＮのパラメータを使用しているが、これに限らず、パラメータ送信装置１０２のＩＰアドレスやポート番号でもよいし、他のネットワークに接続するためのパラメータであってもよい。
【００１６】
ステップＳ４０２において、可視光通信制御部２０６は、可視光通信ＩＦ部２０７を用いて可視光通信を開始する。ステップＳ４０３において、パラメータ送信部２０１は、無線ＬＡＮのパラメータと、無線ＬＡＮ上でパラメータ送信装置１０２とパラメータ受信装置１０３とが相互に発見し合うためのパラメータとを、可視光通信を用いて送信する。
【００１７】
ステップＳ４０４において、デバイス発見部２０４は、アクセスポイント１０１を介する無線ＬＡＮネットワークにおいてパラメータ受信装置１０３を発見したか否かを判定する。パラメータ受信装置１０３を発見した場合、処理はステップＳ４０５に移行する。一方、パラメータ受信装置１０３を発見していない場合、処理はステップＳ４０７に移行する。デバイス発見部２０４は、パラメータ受信装置１０３に送信したＵＵＩＤを用いてＵＰｎＰデバイスを起動し、パラメータ受信装置１０３から発見できるようにする。また、デバイス発見部２０４は、ＳＳＤＰ(Simple Service Discovery Protocol)とパラメータ受信装置１０３のＵＵＩＤとを用いて、パラメータ受信装置１０３を発見する。なお、本実施形態では、ＳＳＤＰを用いているが、これに限らず、WS-Discoveryといった他のディスカバリープロトコルを用いてもよい。
【００１８】
ステップＳ４０５において、ユーザ制御部２０８は、パラメータ受信装置１０３のネットワーク接続が完了したことを示すウインドウをパラメータ送信装置１０２の画面に表示する。ステップＳ４０６において、パラメータ送信終了判断部２０５は、パラメータ送信部２０１によるパラメータ送信を終了させる。さらに、パラメータ送信終了判断部２０５は、可視光通信制御部２０６に可視光通信の終了を通知する。これを受けて、可視光通信制御部２０６は、可視光通信ＩＦ部２０７を用いた可視光通信を終了する。
【００１９】
ステップＳ４０７において、デバイス発見部２０４は、可視光通信開始から一定時間経過し、タイムアウトしたか否かを判定する。タイムアウトした場合、処理はステップＳ４０６に移行して可視光通信が終了する。一方、タイムアウトしていない場合、処理はステップＳ４０３に戻る。このように、パラメータ受信装置１０３を発見できなかった場合で、且つタイムアウトしていない場合には、可視光通信を用いてパラメータの再送信が行われる。
【００２０】
図５は、可視光通信を用いて無線ＬＡＮに関連するパラメータを受信する際におけるパラメータ受信装置１０３の処理を示すフローチャートである。
【００２１】
ステップＳ５０１において、可視光通信制御部３０６は、可視光通信ＩＦ部３０７を用いて、無線ＬＡＮのパラメータ、及び、無線ＬＡＮ上でパラメータ送信装置１０２とパラメータ受信装置１０３とが相互に発見し合うためのパラメータの受信待ち受けを開始する。ステップＳ５０２において、可視光通信制御部３０６は、可視光通信を受信したか否かを判定する。可視光通信を受信した場合、処理はステップＳ５０３に移行する。一方、可視光通信を受信していない場合、処理はステップＳ５１１に移行する。
【００２２】
ステップＳ５０３において、可視光通信制御部３０６は、可視光通信のパターンとして、光の色や点滅等を認識する。ステップＳ５０４において、ユーザ制御部３０８は、可視光通信制御部３０６によって認識された可視光通信のパターンを表示するとともに、パラメータ送信装置１０２からの通信を受け付けるか否かを入力するためのユーザインタフェースを表示する。
【００２３】
ユーザは、ユーザインタフェースに表示された可視光通信のパターンと、パラメータ送信装置１０２の可視光通信のパターンとが同一であるか否かを判定する。同一であれば、ユーザは、パラメータ送信装置１０２からの通信を受け付ける旨をユーザインタフェース上で入力する。ステップＳ５０５において、ユーザ制御部３０８は、パラメータ送信装置１０２からの通信を受け付ける旨がユーザインタフェース上で入力されたか否かを判定する。パラメータ送信装置１０２からの通信を受け付ける旨がユーザインタフェース上で入力された場合、処理はステップＳ５０６に移行する。一方、パラメータ送信装置１０２からの通信を受け付けない旨がユーザインタフェース上で入力された場合、処理はステップＳ５１１に移行する。なお、本実施形態では、ユーザインタフェースに表示される可視光通信のパターンに基づいて、ユーザが所望のパラメータ送信装置１０２からの通信を受け付けるか否かを入力しているが、これに限らず、特定の可視光通信パターンのパラメータ送信装置からの通信は受け付けるように予め設定しておいてもよい。
【００２４】
ステップＳ５０６において、パラメータ受信部３０１は、無線ＬＡＮのパラメータ、及び、無線ＬＡＮ上でパラメータ送信装置１０２とパラメータ受信装置１０３とが相互に発見し合うためのパラメータを受信する。ステップＳ５０７において、パラメータ受信部３０１は、パラメータを全て受信したか否かを判定する。本処理は、可視光通信等の単方向通信の場合、パラメータを途中からしか受信していない場合や、途中で通信が打ち切られることが考えられるために実行される処理である。パラメータを全て受信した場合、処理はステップＳ５０８に移行する。一方、パラメータを全て受信していない場合、処理はステップＳ５１１に移行する。
【００２５】
ステップＳ５０８において、無線ＬＡＮ制御部３０２は、無線ＬＡＮのパラメータを用いてアクセスポイント１０１に対する接続を開始する。ステップＳ５０９において、無線ＬＡＮ制御部３０２は、アクセスポイント１０１に対する接続を成功し、無線ＬＡＮネットワークに接続したか否かを判定する。無線ＬＡＮ制御部３０２は、無線ＬＡＮネットワークに対する接続に成功した場合、処理はステップＳ５１０に移行する。一方、無線ＬＡＮネットワークに対する接続に失敗した場合、処理はステップＳ５１１に移行する。
【００２６】
ステップＳ５１０において、デバイス発見部３０４は、無線ＬＡＮネットワークにおいて、パラメータ送信装置１０２を発見したか否かを判定する。このとき、デバイス発見部３０４は、ＳＳＤＰとパラメータ送信装置１０２のＵＵＩＤとを用いてパラメータ送信装置１０２を発見する。また、デバイス発見部３０４は、パラメータ送信装置１０２から受信したＵＵＩＤを用いてＵＰｎＰデバイスを起動し、パラメータ送信装置１０２から発見できるようにする。なお、本実施形態ではＳＳＤＰを用いているが、これに限らず、WS-Discoveryといった他のディスカバリープロトコルを用いてもよい。無線ＬＡＮネットワークにおいてパラメータ送信装置１０２を発見できた場合、処理はステップＳ５１２に移行する。一方、無線ＬＡＮネットワークにおいてパラメータ送信装置１０２を発見できなかった場合、処理はステップＳ５１３に移行する。
【００２７】
ステップＳ５１１において、デバイス発見部３０４は、可視光通信開始から一定時間経過し、タイムアウトしたか否かを判定する。タイムアウトした場合、処理はステップＳ５１３に移行する。一方、タイムアウトしていない場合、処理はステップＳ５０２に戻る。このように、パラメータ送信装置１０２から全てのパラメータを受信していない場合や、パラメータ送信装置１０２を発見できなかった場合で、且つ、タイムアウトしていない場合、パラメータ送信装置１０２からのパラメータの再受信が行われる。
【００２８】
ステップＳ５１２において、ユーザ制御部３０８は、パラメータ送信装置１０２を発見したこと（成功）をユーザインタフェースに表示する。ステップＳ５１３において、ユーザ制御部３０８は、パラメータ送信装置１０２を発見できなかったこと（エラー）をユーザインタフェースに表示する。ステップＳ５１４において、パラメータ受信終了判断部３０５は、可視光通信の終了を決定し、可視光通信制御部３０６に終了を通知する。これにより、可視光通信が終了する。
【００２９】
なお、本実施形態においては可視光通信を使用しているが、これに限らず、パラメータ送信装置１０２は、二次元バーコード、静止画又は動画に情報を埋め込む技術等を用いて、パラメータ受信装置１０３に対してパラメータを渡すことも可能である。この場合、ステップＳ５０４において、ユーザ制御部３０８は、二次元バーコード、静止画又は動画をインタフェース上に表示させる。
【００３０】
図６は、本実施形態に係る通信システムの処理を示すシーケンスチャートである。本実施形態において、パラメータ送信装置１０２及びパラメータ受信装置１０３は夫々２つのインタフェースを持っている。
【００３１】
Ｍ６０１において、パラメータ送信装置１０２のユーザ制御部２０８は、パラメータ（無線ＬＡＮのパラメータ、及び、無線ＬＡＮ上でパラメータ送信装置１０２とパラメータ受信装置１０３とが相互に発見し合うためのパラメータ）の送信開始を決定する。Ｍ６０２において、パラメータ受信装置１０３のユーザ制御部３０８は、パラメータの受信開始を決定する。Ｍ６０３において、パラメータ送信装置１０２のパラメータ送信部２０１は、可視光通信を用いて、パラメータ受信装置１０３に対してパラメータを送信し、パラメータ受信装置１０３のパラメータ受信部３０１はパラメータを受信する。なお、本実施形態において、パラメータ送信装置１０２とパラメータ受信装置１０３との間は単方向通信であることを想定している。従って、パラメータ受信装置１０３は、パラメータ送信装置１０２に対してパラメータ受信完了を示すメッセージを送信することができず、パラメータ送信装置１０２は、パラメータ受信装置１０３に対してパラメータを正しく送信できたかを判断することができない。
【００３２】
Ｍ６０４において、パラメータ受信装置１０３のユーザ制御部３０８は、パラメータ送信装置１０２の可視光通信のパターンを表示するとともに、パラメータ送信装置１０２からの通信を受け付けるか否かを入力させるためのユーザインタフェースを表示する。ユーザによってパラメータ送信装置１０２からの通信を受け付ける旨がユーザインタフェース上で入力されると、Ｍ６０５において、パラメータ受信装置１０３のユーザ制御部３０８は、その旨を入力する。
【００３３】
Ｍ６０６において、パラメータ受信装置１０３の無線ＬＡＮ制御部３０２は、受信した無線ＬＡＮのパラメータを用いて、無線ＬＡＮ ＩＦ部３０３に対する設定を行う。Ｍ６０７において、無線ＬＡＮ制御部３０２は、無線ＬＡＮ ＩＦ部３０３を用いて、アクセスポイント１０１に対する接続を行う。
【００３４】
Ｍ６０８において、パラメータ受信装置１０３のデバイス発見部３０４は、無線ＬＡＮネットワーク上において、パラメータ送信装置１０２を探索する。Ｍ６０９において、パラメータ送信装置１０２のデバイス発見部２０４は、無線ＬＡＮネットワーク上において、パラメータ受信装置１０３を探索する。
【００３５】
Ｍ６１０において、パラメータ送信装置１０２のパラメータ送信終了判断部２０５は、パラメータ受信装置１０３を発見すると、可視光通信制御部２０６に対してパラメータ送信に利用した可視光通信の終了を指示し、可視光通信を切断させる。
【００３６】
Ｍ６１１において、パラメータ受信装置１０３のパラメータ受信終了判断部３０５は、パラメータ送信装置１０２を発見すると、可視光通信制御部３０６に対してパラメータ受信に利用した可視光通信の終了を指示し、可視光通信を切断させる。
【００３７】
Ｍ６１２以降、パラメータ送信装置１０２とパラメータ受信装置１０３とは、アクセスポイント１０１を経由して通信を終了する。
【００３８】
本実施形態では、無線ＬＡＮのパラメータとして、アクセスポイント１０１に接続するためのパラメータを用いたが、これに限らず、アドホックに接続するためのパラメータであってもよい。また、無線ＬＡＮのパラメータに限らず、パラメータ送信装置１０２のＩＰアドレス、ポート番号、認証情報といったパラメータであっても実現することができる。
【００３９】
パラメータ送信装置１０２は、無線ＬＡＮネットワーク上でパラメータ受信装置１０３を発見すると、無線ＬＡＮのパラメータを送信するための可視光通信を終了させることによって、意図しない第三者への誤送信を低減することができる。さらに、ユーザがユーザインタフェースを通じて指示しなくても可視光通信を終了させることができるため、無駄な通信が削減され、結果として電力消費を抑えることが可能となる。
【００４０】
次に、本発明の第２の実施形態について説明する。以下では、上述した第１の実施形態との差異を中心に第２の実施形態について説明を行う。
【００４１】
図７は、第２の実施形態に係る通信システムの構成を示す図である。図７において、７０１はインターネットである。７０２は、パラメータ送信装置７０４が接続される携帯網である。７０３は、パラメータ受信装置７０５が接続される無線ＬＡＮである。携帯網７０２と無線ＬＡＮ７０３とはインターネット７０１を介して接続されている。なお、上記インターネット７０１の代わりに、ＬＡＮ(Local Area Network)、ＷＡＮ(Wide Area Network)、アドホックネットワーク、または、それらを複合させたネットワークを適用してもよい。また、携帯網７０２及び無線ＬＡＮ７０３の代わりに、他のアクセスネットワークを適用してもよい。
【００４２】
図８は、本実施形態におけるパラメータ送信装置７０４のモジュール構成を示す図である。８０１は、携帯網を制御する携帯網制御部である。８０２は、携帯網のインタフェースを制御する携帯網ＩＦ部である。なお、図８における２０１〜２０５、２０８に示す構成は、図２における同一符号の構成と同様である。
【００４３】
図９は、本実施形態に係るパラメータ受信装置７０５のモジュール構成を示す図である。９０１は、無線ＬＡＮの制御のうち、インフラモードの制御を行うインフラモード制御部である。９０２は、無線ＬＡＮの制御のうち、アドホックモードの制御を行うアドホックモード制御部である。なお、図９における３０１、３０３〜３０５、３０８に示す構成は、図３における同一符号の構成と同様である。
【００４４】
図１０は、本実施形態に係る通信システムの処理を示すシーケンスチャートである。図１０におけるＭ６０１、Ｍ６０４、Ｍ６０５、Ｍ６０７、Ｍ６１２は、図６における同一符号の処理と同様である。本実施形態において、パラメータ送信装置７０４は２つのインタフェースを持ち、パラメータ受信装置７０５は１つのインタフェースを持っている。また、パラメータ送信装置７０４の無線ＬＡＮ制御部２０２は、無線ＬＡＮ ＩＦ部２０３に対してアドホック接続の設定を行っている。また、パラメータ受信装置７０５のインフラモード制御部９０１は、無線ＬＡＮ ＩＦ部３０３に対してアドホック接続の設定を行っている。以上により、パラメータ送信装置７０４とパラメータ受信装置７０５とは、アドホック接続されているものとする。
【００４５】
Ｍ１００１において、パラメータ送信装置７０４のパラメータ送信部２０１は、パラメータ受信装置７０５に対し、携帯網７０２経由でパラメータ送信装置７０４に接続するためのパラメータ（携帯網ＩＦ部８０２のＩＰアドレス、ポート番号等）を送信する。本実施形態では、パラメータをＩＰアドレス及びポート番号としたが、これに限らず、認証情報や接続方法といった情報を含んでもよい。パラメータ受信装置７０５のパラメータ受信部３０１は、パラメータ送信装置７０４から送信された、携帯網７０２経由でパラメータ送信装置７０４に対して接続するためのパラメータを受信する。
【００４６】
Ｍ１００２において、パラメータ受信装置７０５のインフラモード制御部９０１は、パラメータ送信装置７０４から受信したパラメータを用いて、無線ＬＡＮ ＩＦ部３０３に対して設定を行う。このとき、無線ＬＡＮ ＩＦ部３０３は、アドホックモードからインフラモードに切り替わる。
【００４７】
Ｍ１００３において、パラメータ受信装置７０５のデバイス発見部３０４は、携帯網７０２のネットワークを介して、パラメータ送信装置７０４を探索する。Ｍ１００４において、パラメータ送信装置７０４のデバイス発見部２０４は、携帯網７０２のネットワークを介して、パラメータ受信装置７０５を探索する。
【００４８】
Ｍ１００５において、パラメータ送信装置７０４のパラメータ送信終了判断部２０５は、パラメータ受信装置７０５を発見すると、無線ＬＡＮ制御部２０２を介して無線ＬＡＮ  ＩＦ部２０３に対して、アドホックモードの終了を指示する。
【００４９】
このようにパラメータ送信装置７０４は、パラメータ受信装置７０５を発見すると、無線ＬＡＮのアドホック接続を終了させることによって、不要なアドホック待ち受けを抑制することができる。
【００５０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５１】
１０１：アクセスポイント、１０２、７０４：パラメータ送信装置、１０３、７０５：パラメータ受信装置、２００、３００：バス、２０１：パラメータ送信部、２０２、３０２：無線ＬＡＮ制御部、２０３、３０３：無線ＬＡＮ ＩＦ部、２０４、３０４：デバイス発見部、２０５：パラメータ送信終了判断部、２０６、３０６：可視光通信制御部、２０７、３０７：可視光通信ＩＦ部、２０８、３０８：ユーザ制御部、３０１：パラメータ受信部、３０５：パラメータ受信終了判断部、７０１：インターネット、７０２：携帯網、７０３：無線ＬＡＮ、８０１：携帯網制御部、８０２：携帯網ＩＦ部、９０１：インフラモード制御部、９０２：アドホックモード制御部
【図１】
2012256958.tif 000003
【図２】
2012256958.tif 000004
【図３】
2012256958.tif 000005
【図４】
2012256958.tif 000006
【図５】
2012256958.tif 000007
【図６】
2012256958.tif 000008
【図７】
2012256958.tif 000009
【図８】
2012256958.tif 000010
【図９】
2012256958.tif 000011
【図１０】
2012256958.tif 000012